(57)【要約】【課題】折り仮想線で容易に折り返すことが可能になり、それにより袋をスリーブに固定することが可能になる複合容器およびそれに用いられる袋を提供するすることを目的とするものである。【解決手段】表面と裏面が両側端で繋がっているスリーブと、前記スリーブに収納可能な表面と裏面が両側端でシール部もしくは折返しで繋がっている袋とからなる複合容器であって、前記袋の前記表面と前記裏面に袋本体とカット部を分かつ開封線を有し、前記袋本体が基体部と表面と裏面に各々表面山型部と裏面山型部からなるとともに、前記袋が前記スリーブに収納された状態で前記基体部が前記スリーブに覆われるとともに表面山型部と裏面山型部およびカット部が前記スリーブに覆われず露出することを特徴とする複合容器およびそれに用いられる袋を提供するものである。【選択図】図１
2020007007.tif 000002
【特許請求の範囲】
【請求項１】
表面と裏面が両側端で繋がっているスリーブと、前記スリーブに収納可能な表面と裏面が両側端でシール部もしくは折返しで繋がっている袋とからなる複合容器であって、前記袋の前記表面と前記裏面に袋本体とカット部を分かつ開封線を有し、前記袋本体が基体部と表面と裏面に各々表面山型部と裏面山型部からなるとともに、前記袋が前記スリーブに収納された状態で前記基体部が前記スリーブに覆われるとともに表面山型部と裏面山型部およびカット部が前記スリーブに覆われず露出することを特徴とする複合容器。
【請求項２】
前記袋がスタンディングパウチである請求項１記載の複合容器。
【請求項３】
前記袋が両側端でシール部により繋がっている請求項１または２記載の複合容器。
【請求項４】
前記袋が両側端でシール部に突出部があるとともに、前記スリーブの両側端に開口があることを特徴とする請求項３記載の複合容器。
【請求項５】
前記スリーブが底面において可動底面板を有することを特徴とする請求項１から４の何れか記載の複合容器。
【請求項６】
前記スリーブの表面と裏面に強度維持手段が設けられていることを特徴とする請求項１から５の何れか記載の複合容器。
【請求項７】
前記袋の基体部に再封機構を有することを特徴とする請求項１から６何れか記載の複合容器。
【請求項８】
前記開封線が水平開封線と両端部近傍の端部斜め開封線とからなることにより、カット部が水平開封線でカットされる一次カット部と水平開封線と端部斜め開封線で囲われる二次カット部からなることを特徴とする請求項１から７何れか記載の複合容器。
【請求項９】
前記開封線が水平開封線とその両端で接続する端部斜め開封線とにより、カット部が形成されることを特徴とする請求項１から７何れか記載の複合容器。
【請求項１０】
前記スリーブ表面と前記表面山型部、前記スリーブ裏面と前記裏面山型部が各々係止可能な係止構造として、前記スリーブ表面にスリーブ表面係止構造、前記表面山型部に表面山型部係止構造、前記スリーブ裏面にスリーブ裏面係止構造、前記裏面山型部に裏面山型部係止構造が備わっていることを特徴とする請求項１から９何れか記載の複合容器。
【請求項１１】
前記袋がガスバリア性であることを特徴とする請求項１から１０何れか記載の複合容器。
【請求項１２】
表面と裏面に袋本体とカット部を分かつ開封線を有し、前記袋本体が基体部と表面と裏面に各々表面山型部と裏面山型部からなる袋。
【発明の詳細な説明】
【技術分野】
【０００１】
本発明は、表面と裏面が両側端で繋がっているスリーブと、前記スリーブに収納可能な表面と裏面が両側端でシール部もしくは折返しで繋がっている袋とからなる複合容器であって、特に袋開口後に開口状態を維持したい、例えば内容物が食品の場合食事が容易であったり、注湯により調理するために注湯時に確実に注湯しやすいように開口状態を維持したいなどの理由で開口状態などの保型機能を持つ、スリーブと袋とからなる複合容器およびそれに用いられる袋に関する。
【背景技術】
【０００２】
詰め替え用の流体パック袋体は軟らかいプラスチックシートやフィルムで形成されており、自立支持力に欠けるため、注出口を切り開いた状態で載置しておくと内容物が流出し易く、内容物が少なくなるとパック袋体を立てて置くことができなため、このような軟らかい袋の内容物を移し替える作業はきわめて煩わしく、また、詰め替えの際にこぼしたり、内容物を出し切れないなどの無駄があった。
【０００３】
そこで、自立支持力のない流体パック袋体の開口注出口を確保して直立に支持することができる様に、特許文献１では、プラスチックシート製の流体パック袋体と、この流体パック袋体を上端開口部から挿入して収納する袋体支持ケースからなり、前記流体パック袋体は上部封着縁辺の一部に、注ぎ口を切り開くための所定巾の突出注出部を一体に有するとともに、前記袋体支持ケースは、その上部開口縁辺の一部に、前記流体パック袋体の切り開き注出口縁辺を開口状に係着するための係止縁辺を一体に具備することを特徴とする複合収納容器が提案されていた。
【先行技術文献】
【特許文献】
【０００４】
【特許文献１】特開２００４−２２４３５８
【発明の概要】
【発明が解決しようとする課題】
【０００５】
しかし、特許文献１のような複合容器では、主に詰め替えを確実にすることを目的としているために切り開き注出口縁辺となる開封線が直線であるため容易に折り返して反転させることが難しい。とくに、袋がガスバリア性の場合、一般的に伸縮性を持たせるとバリア性が低下するので、伸縮性を持たさないフィルム材料が用いられるため、このような上辺を切って開口しただけの状態から外側に折り返すのは極めて難しい。
【課題を解決するための手段】
【０００６】
上記課題を解決するためになされた第１の発明は表面と裏面が両側端で繋がっているスリーブと、前記スリーブに収納可能な表面と裏面が両側端でシール部もしくは折返しで繋がっている袋とからなる複合容器であって、前記袋の前記表面と前記裏面に袋本体とカット部を分かつ開封線を有し、前記袋本体が基体部と表面と裏面に各々表面山型部と裏面山型部からなるとともに、前記袋が前記スリーブに収納された状態で前記基体部が前記スリーブに覆われるとともに表面山型部と裏面山型部およびカット部が前記スリーブに覆われず露出することを特徴とする複合容器である。
【０００７】
第２の発明は、前記袋がスタンディングパウチである請求項１記載の複合容器である。
【０００８】
第３の発明は、前記袋が両側端でシール部により繋がっている請求項１または２記載の
複合容器である。
【０００９】
第４の発明は、前記袋が両側端でシール部に突出部があるとともに、前記スリーブの両側端に開口があることを特徴とする請求項３記載の複合容器である。
【００１０】
第５の発明は、前記スリーブが底面において可動底面板を有することを特徴とする請求項１から４の何れか記載の複合容器である。
【００１１】
第６の発明は、前記スリーブの表面と裏面に強度維持罫線が設けられていることを特徴とする請求項１から５の何れか記載の複合容器である。
【００１２】
第７の発明は、前記袋の基体部に再封機構を有することを特徴とする請求項１から６何れか記載の複合容器である。
【００１３】
第８の発明は、前記スリーブの表面と裏面に強度維持手段が設けられていることを特徴とする請求項１から５の何れか記載の複合容器である。
【００１４】
第９の発明は、前記開封線が水平開封線とその両端で接続する端部斜め開封線とにより、カット部が形成されることを特徴とする請求項１から７何れか記載の複合容器である。
【００１５】
第１０の発明は、前記スリーブ表面と前記表面山型部、前記スリーブ裏面と前記裏面山型部が各々係止可能な係止構造として、前記スリーブ表面にスリーブ表面係止構造、前記表面山型部に表面山型部係止構造、前記スリーブ裏面にスリーブ裏面係止構造、前記裏面山型部に裏面山型部係止構造が備わっていることを特徴とする請求項１から９何れか記載の複合容器である。
【００１６】
第１１の発明は、前記袋がガスバリア性であることを特徴とする請求項１から１０何れか記載の複合容器である。
【００１７】
第１２の発明は、表面と裏面に袋本体とカット部を分かつ開封線を有し、前記袋本体が基体部と表面と裏面に各々表面山型部と裏面山型部からなる袋である。
【発明の効果】
【００１８】
本発明によれば、開封線が水平線のみではなく、斜め開封線などの開口後の袋に山型部を設けることができたため、その山型部をなす折り仮想線で容易に折り返すことが可能になり、それにより袋をスリーブに固定することが可能になる。この場合スリーブが湾曲しているために山型部が折られただけで山型部とスリーブとが固定される。これは折り線が直線ではなく撓んだ形状となるため袋をスリーブに固定する力が働くからである。
【００１９】
よって、注湯などにより内容物の重量が増した場合であっても袋がスリーブが固定されているために袋が撓んで湯などの内容物がこぼれることがなくなる。
【００２０】
また、このような複合容器のみで重量内容物の容器としての外形を維持することが可能となったため、別な容器の用意が困難な災害時においても使用することができる。
【図面の簡単な説明】
【００２１】
【図１】本発明の一実施形態を示す複合容器の概念正面図である。
【図２】本発明の図１の実施形態の複合容器において、水平開封線により第一カット部を除去した状態を示す複合容器の概念正面図である。
【図３】本発明の図１の実施形態の複合容器において、水平開封線により第一カット部を除去した図２の状態からさらに端部斜め開封線により第二カット部を除去した状態を示す複合容器の概念正面図である。
【図４】本発明の図１の実施形態の複合容器において、山型部を折り返した状態を示す複合容器の概念正面図である。
【図５】本発明の図１の実施形態の複合容器における袋の概念正面図である。本発明の一実施形態を示す複合容器の概念正面図である。
【図６】本発明の図１の実施形態の複合容器とは異なる複合容器における袋の概念正面図である。
【図７】本発明の図１や図６の実施形態の複合容器とは異なる複合容器における袋の概念正面図である。
【図８】本発明の図１や図６や図７の実施形態の複合容器とは異なる複合容器における袋の概念正面図である。
【図９】本発明の図１や図６や図７や図８の実施形態の複合容器とは異なる複合容器における袋の概念正面図である。
【図１０】本発明の図１の複合容器において、水平開封線により第一カット部を除去した図２の状態からさらに端部斜め開封線により第二カット部を除去した状態を示す図３に相当する複合容器の概念斜視図である。
【図１１】本発明の図１の複合容器において、山型部を折り返した状態を示す図４に相当する複合容器の概念斜視図である。
【図１２】本発明の図１の実施形態の複合容器におけるスリーブの概念正面図である。
【図１３】本発明の図１の実施形態の複合容器におけるスリーブの概念斜視図である。
【図１４】本発明の図１の複合容器において、山型部を折り返した状態を示す図４や図１１に相当する複合容器に注湯状態の概念説明図である。
【図１５】本発明の図１の実施形態の複合容器とは異なる複合容器における、水平開封線により第一カット部を除去した状態からさらに端部斜め開封線により第二カット部を除去した状態を示す複合容器の概念正面図である。
【図１６】本発明の図１の実施形態の複合容器とは異なる図１５の複合容器における、山型部を折り返した状態を示す概念正面図である。
【図１７】従来の実施形態を示す複合容器の概念正面図である。
【図１８】従来の図１７の実施形態の複合容器において、水平開封線によりカット部を除去した状態を示す複合容器の概念正面図である。
【発明を実施するための形態】
【００２２】
以下、本発明の実施の形態を、図面を用いて説明する。図１は本発明の一実施形態を示す複合容器の概念正面図である。なお、この実施形態においては表裏同型であるので表面図のみで説明する。なお、図１から不明な平面や底面形状などについては図１０や図１３を適宜参照する。
【００２３】
本複合容器は、袋とスリーブ１０１によりなる。袋は図５の様に、ガゼット折り５１３を持つガゼット５１２を底面に持ち、四方にシール部５０２を持つ四方シール袋であるが、一辺、例えば上辺が折返しである三方シール袋であっても構わない。
【００２４】
この袋には開封線を持つもので、この実施形態においては水平開封線５０３と左右に水平開封線５０３の途中より袋の端部に下降する斜め直線形状の端部斜め開封線５０４からなる。この水平開封線５０３と端部斜め開封線５０４により、袋本体と一次カット部５０７と二次カット部５０８に区画されている。
【００２５】
この場合の端部斜め開封線は４５度である必要はなく、折り返しの容易さや固定状態の維持の条件と袋の材料の強度により３０度や６０度など適宜選択可能であり、折り仮想線に罫線加工などの易折り加工を施すか否かによっても最適が変わってくる。また水平開封
線および端部斜め開封線は必ずしも直線である必要もない。
【００２６】
一次カット部５０７は水平開封線５０３より上部の横に長い略長方形状領域、二次カット部５０８は水平開封線５０３と端部斜め開封線５０４の間の略三角形状の領域、袋本体は二次カット部５０８は水平開封線５０３と端部斜め開封線５０４の下の部分の上部両端を欠く長方形状を構成する。なお、水平開封線および端部斜め開封線の形状により変形可能であるが、少なくとも両端部より上面に表裏とも突出することが必要である。
【００２７】
また、水平開封線５０３の両端には水平開封線ノッチ５０５が、端部斜め開封線５０４の両下端には端部斜め開封線ノッチ５０６が設けられている。
【００２８】
この場合の開封線はハーフカットやエンボス等により他の部分より切り裂き可能とする他、袋にバリア性が不要な場合はミシン目などで構成することもできる。また、ノッチはＶ字状、Ｕ字状、Ｉ字状などが可能であるが、必ずしも設ける必要はない。また、端部斜め開封線ノッチ５０６は開封線の傾きに対応した角度をつけることも可能である。
【００２９】
その上で端部斜め開封線５０４の両下端を結ぶ仮想線を折り仮想線５１０としたとき、袋本体のうち水平開封線５０３と端部斜め開封線５０４と折り仮想線５１０に囲まれた台形領域を山型部５０９とし、その折り仮想線５１０より下の略長方形領域を基体部５０１とする。
【００３０】
上述の様に山型部が端部近くでなだらかであれば開封が容易である反面、折り返したときの袋固定機能が低下する。他方、山型部が端部で急峻であれば開封が行いにくい反面、折り返したときの袋固定機能が向上する。
【００３１】
なお、図８の様に開封線を水平開封線８０３と端部斜め開封線８０４が繋がる様に形成すれば一度の開封により山型部８０７を形成するものでもよい。この実施形態は、一度の開封で折り返せる形態になる利点はあるものの、正しく開封しにくい欠点もあるので、用途や袋の材質などの諸条件により適宜選択すればよい。
【００３２】
また、図９の様に開封線を水平開封線９０３と縦開封線９０４と端部水平開封線９０５が繋がる様に形成すれば一度の開封により山型部８０８を形成するものでもよい。この実施形態は、一度の開封で折り返せる形態になる利点はあるものの、正しく開封しにくい欠点もあるので、用途や袋の材質などの諸条件により適宜選択すればよい。
【００３３】
折り仮想線５１０は袋の柔軟性が十分であれば易折り手段を設ける必要はないが、必要に応じてハーフカットやエンボス等により易折り加工を設けることも可能である。この場合易折り加工を設ける場合は、外方、すなわち表面なら表面側に、裏面なら裏面側に折り易い様に易折り加工を設けるのが好ましい。
【００３４】
なお、上記実施形態では開封線を切りきっているが、カット部がゴミとなってしまう可能性があるため、このようなカット部が完全に離れない様に開封線を表裏一方において途中で止める構造も可能である。特に二次カット部は三角形で小さいため、内容物が麺などの食品である場合は混入を防止する必要性は高いので、このような工夫が必要な場合がある。
【００３５】
また、袋の左右のシール部５０２の略中央、すなわち基体部５０１のやや上方には半円形状の突出部５１４が設けられ、その内部には各々穴５１５が設けられている。これは、上部だけでなく端部でも袋の形状安定に資する効果がある。突出部の形状は適宜選択可能である。
【００３６】
袋の材質としては、基材層としてポリエチレン、ポリプロピレン、ポリエチレンテレフタレート、ポリアミド、或いはこれらの合成樹脂層を複数層に積層したもの、それに蒸着アルミニウム、アルミ箔、珪素酸化物蒸着などによりバリア性層を付与したものを加えてもよいが、２軸延伸ポリエチレンテレフタレート、２軸延伸ポリプロピレン、２軸延伸ナイロンに酸化アルミニウムを蒸着したものなどが好ましく、さらにシーラントとしての熱接着性樹脂層として、低密度ポリエチレン、中密度ポリエチレン、高密度ポリエチレン、線状低密度ポリエチレン、エチレン−酢酸ビニル共重合体、２軸延伸ポリプロピレン、無延伸ポリプロピレン、エチレン−プロピレン共重合体等が好ましく、さらにウレタン系樹脂、低密度ポリエチレン等の接着剤層、その他遮光層、操作方法の説明などの印刷層、表面保護層などの機能層を設けても良い。
【００３７】
このような基体部５０１の上方で折り仮想線５１０の下には平行して再封機構である線ファスナ５１１が設けられている。これは、表面の凹部材と裏面の凸部材が容易に嵌合可能な構造になっており、両側から押圧することで仮封可能な構造のものである。
【００３８】
このような再封機能は、注湯後蒸したり、食べ切れなかった場合に活用するものであるが、調理が開口したままで構わず、食べきる場合はこのような再封機能は必要としない。また、再封機能は線ファスナだけでなく単なる係合や面ファスナを用いた構造などでも適宜用途に従って選択できる。
【００３９】
基体部５０１の下部はガゼット折り５１３が事前にされているガゼット部５１２が挟まれてシールされている。
【００４０】
もちろん底部はガゼット構造である必要はなく、図６の様な構造でもよいが、重量が掛かった場合に安定的に底部を構成するためには底部が自然と形成するような誘導罫線加工などの手段が用いられるのが好ましい。
【００４１】
スリーブ１０１は、表面と裏面が両側端でのりしろ（図示せず）貼りにより繋がっていることで筒状をなしているが、両側面で折られて平面状に潰すことができる。この状態が図１２である。
【００４２】
潰した状態でスリーブ表面１２０１には左右端の折り線の途中やや中央より上部に切り欠き部１２０２を備えており、起立した状態では四角形の穴になる。
【００４３】
また、スリーブ表面と１２０１とスリーブ裏面を底面中央で繋ぐ可動底面板１２０３が設けられており、この可動底面板１２０３と表面および裏面は底部折り線１２０５で繋がっているが、その中途に底部中折り線１３０８があるために、可動底面板１２０３折れて図１２のような略平板状に潰すことが可能になる。
【００４４】
なお、底部構造は輸送時の体積削減のため厚みが変えられる様に底部幅が可変にするようなこのような構造としているが、底面幅が固定で良い場合は、全面形成の底部材であれば強度をさらに上げることができる。
【００４５】
スリーブ表面および裏面には、強度維持手段としてスリーブ上端１８０８中央から左右両端に向けて四分の一円形状の強度維持罫線１２０４が設けられている。これは、他の折り線と同様にプレス罫線加工が施されたものである。
【００４６】
強度が十分であればこのような強度維持手段などの強度維持加工は必要ないし、もし必要であればその要求強度に応じて罫線加工などの形状を変更してもよいし、強度補強用の
樹脂印刷で補強するのでも構わない。
【００４７】
また、スリーブ１０１を船状に起立させた場合は、可動底面板１２０３が開くとともに、スリーブ表面および裏面に設けられた強度維持罫線１２０４により、より起立形状維持に役立っている。
【００４８】
スリーブの材質としてはボール紙、などの強度の高いものが好ましいが、大型のものなどで高い強度が必要なものが要求される場合は剛性プラスチックやハニカム構造のものを用いるのも可能である。材質が紙質の場合、耐水性が要求される場合においては必要に応じて樹脂コートや撥水性インキで印刷を行ったりするなどの撥水表面処理をおこなったり、表面にフィルム貼り樹脂層を積層したりすることも可能であるが、単に内容表示や使用方法などの印刷を行ってもよい。
【００４９】
このような袋は、スリーブ１０１内に収納するが、図１の様にスリーブ１０１の切り欠き部１００８と袋の突出部５１４の高さが略同じで若干切り欠き部１００８の方が大きいことで、切り欠き部１００８から袋の突出部５１４を出すことができ、この状態で袋の形状安定性に向上することに役立つ。
【００５０】
なお、図１５の様にスリーブ１８０１上部中央に係止切れ目１８０２を設け、山型部１８０３内に係止穴１８０５を設け、図１６の様に係止切れ目によって形成された係止舌片１９０５を係止穴１９０３に引っ掛けて確実に山型部１９０２を折り返し状態で固定し、袋の形状安定性を確実にすることに役立つ。
【００５１】
この場合、袋のガスバリア性が失われる欠点があるが、係止穴に代わりハーフカット等の弱め加工によるものであれば、ある程度のガスバリア性能を持たせることが可能になるが、反面係止作業が面倒になるので、内容物により適宜選択可能である。
【００５２】
このような袋は、四方シールでガゼットがある場合は、ガゼット折りがなされた状態のガゼット片を挟んで三方シールし、突出部がある場合はノッチ抜き加工と同時に適宜抜き加工を行う。次に、各開封線はレーザー加工など適宜手段で弱め加工を行う。
【００５３】
スリーブは、のりしろを含めた形状でボール紙などに罫線加工を行ったのち抜き加工を行い、のりしろ接着をして形成する。
【００５４】
最後に、このようなガゼットに袋をはめ込んで本願の複合容器が完成する。
【実施例】
【００５５】
（実施例１）
ガゼット折り５１３を持つガゼット５１２を底面に持ち、四方にシール部５０２を持つ四方シール袋で、水平開封線５０３と左右に水平開封線５０３の端部から若干内側の場所より袋の端部に略４５度で下降する斜め直線形状の端部斜め開封線５０４からなる。水平開封線５０３の両端には水平開封線ノッチ５０５が、端部斜め開封線５０４の両下端にはV字状端部斜め開封線ノッチ５０６が設けられている。
【００５６】
また、袋の左右のシール部５０２の略中央、すなわち基体部５０１のやや上方である部分にシールによる半円形状の突出部５１４が設けられ、その内部中央には各々突出部の半分程度の半円形状の穴５１５が設けられている。
【００５７】
このような基体部５０１の上方である強度維持罫線１２０４より若干下に線ファスナ５１１が設けられているとともに下部はガゼット折り５１３が事前にされているガゼット部５１２が挟まれてシールされている。
【００５８】
また、スリーブは袋より若干大きい表面板と裏面板が別途のりしろで接着され、両端部の中央部分にて折り目から突出部より若干大きい切り欠き部が各々表面から裏面にかけて設けられている。
【００５９】
他方、スリーブ表面と１２０１とスリーブ裏面を底面中央を繋ぐ、強度を維持できる適当な折り幅の可動底面板１２０３が設けられており、この可動底面板１２０３と表面および裏面は底部折り線１２０５で繋がっている。
【００６０】
また、スリーブ表面および裏面には、スリーブ上端１８０８中央から左右両端下端から若干上の地点の端部に向けて四分の一円形状の強度維持罫線１２０４が設けられている。
【００６１】
このスリーブ１０１を船状に起立させた場合は、可動底面板１２０３が開き、袋をスリーブ１０１内に収納すると、図１の様に切り欠き部１００８から袋の突出部５１４を出すことができる。
【００６２】
次に、図１のような複合容器において、水平開封線ノッチ５０５から水平開封線１０３を切ることで一次カット部１０５が切り離され、水平開封線１０３部分が直線状の一次開封端２０３になり図２の様になる。
【００６３】
次に、図２の状態から、左右の端部斜め開封線ノッチ５０６から水平開封線１０３を切ることで二次カット部１０６が切り離され、高さ２０ｍｍの山型部３０３が形成され図３の様になる。
【００６４】
次に、図３の状態から、表面の山型部３０３を表面に、裏面の山型部３０３を裏面に折り返すことで、図４の様になる。
【００６５】
この状態で図１４の様に湯１４０８を底面から八割の高さになるまで注いだが袋がへたれることなく形状を維持した。
【００６６】
（実施例２）
スリーブに切り欠き部、袋に突出部が設けられていないだけで実施例１と同様であった。
【００６７】
この状態で湯を底面から八割の高さになるまで注いだ。袋が若干へたったが、開口状態は維持した。
【００６８】
（比較例１）
図２０の様に端部斜め開封線が設けられていないだけで実施例１と同様であった。
【００６９】
図２１の状態で折り返そうとしたがシール部が邪魔で、容易に折り返すことができないとともに、スリーブ自体が歪んだ状態にしかならなかったため開口が変形し、安心して注湯することができなかった。
【符号の説明】
【００７０】
１０１、２０１、３０１、４０１、１００１、１１０１、１３０１、１４０１、１８０１、１９０１、２００１、２１０１・・・スリーブ
１０２、２０２、３０２、１００２、１１０２、１４０２、２００２、２１０２・・・袋本体
１０３、５０３、６０３、７０３、８０３、９０３、２００３・・・水平開封線
２０３・・・一次開口端
１０４、２０４、５０４、６０４、７０４、８０４・・・端部斜め開封線
１０５、５０７、６０７、７０５・・・一次カット部
１０６、２０５、５０８、６０８、７０６・・・二次カット部
１０７、２０６、３０５、４０４、５１４、１００６、１１０５、１４０５、１８０６、１９０６、２００５、２１０４・・・突出部
１０８、２０７、３０７、４０５、５１５、１００７、１１０６、１４０６、１８０７、１９０７、２００６、２１０５・・・穴
３０３、４０２、５０９、６１０、７０８、８０７、９０８、１１０３、１４０４、１８０３、１９０２・・・山型部
３０４、１８０４、２１０３・・・開口端
４０３、１１０４、１９０４・・・折り
５０１、６０１、７０１、８０１、９０１・・・基体部
５０２、６０２、７０２、８０２、９０２・・・シール部
５０５、６０５・・・水平開封線ノッチ
５０６、６０６・・・端部斜め開封線ノッチ
５１０、６０９、７０７、８０６、９０７、１００３・・・折り仮想線
５１２、７１１、８１０、９１１・・・ガゼット部
５１３、７１０、８０９、９１０・・・ガゼット折り
５１１、６１１、７０９、８０８、９０９・・・線ファスナ
８０５、９０６、１４０７、２００４・・・カット部
９０４・・・縦開封線
９０５・・・端部水平開封線
１００４・・・表面山型部
１００５・・・裏面山型部
１００８、１１０７、１２０２、１３０２・・・切り欠き部
１２０１・・・スリーブ表面
１２０３、１３０６・・・可動底面板
１２０４・・・強度維持罫線
１２０５、１３０７・・・底部折り線
１３０８・・・底部中折り線
１４０８・・・湯
１８０２・・・係止切れ目
１８０５、１９０３・・・係止穴
１８０８・・・スリーブ上端
１９０５・・・係止舌片
【図１】
2020007007.tif 000003
【図２】
2020007007.tif 000004
【図３】
2020007007.tif 000005
【図４】
2020007007.tif 000006
【図５】
2020007007.tif 000007
【図６】
2020007007.tif 000008
【図７】
2020007007.tif 000009
【図８】
2020007007.tif 000010
【図９】
2020007007.tif 000011
【図１０】
2020007007.tif 000012
【図１１】
2020007007.tif 000013
【図１２】
2020007007.tif 000014
【図１３】
2020007007.tif 000015
【図１４】
2020007007.tif 000016
【図１５】
2020007007.tif 000017
【図１６】
2020007007.tif 000018
【図１７】
2020007007.tif 000019
【図１８】
2020007007.tif 000020